(57)【要約】【課題】ユーザが特に注意を払わなくても、保持トレイのセット部の位置を視覚によって把握し易い記録装置を提供すること。【解決手段】硬質の被記録材Ｑのセット部２７を有し、該セット部に前記被記録材をセットするためのセットポジションに停止可能に往復移動する保持トレイ５と、装置本体９に設けられ、前記セットポジションに位置する状態の保持トレイの前記セット部に前記被記録材をセットするための開口部２３と、前記開口部に設けられ、前記保持トレイの前記セット部の占めるセット領域２９に対応する開口サイズを前記セット領域外の外方領域３１に対応する開口サイズより大きくする覆い部材３３と、を備えている。【選択図】図２
2010046972.tif 000002
【特許請求の範囲】
【請求項１】
被記録材のセット部を有し、該セット部に前記被記録材をセットするためのセットポジションに停止可能に往復移動する保持トレイと、
装置本体に設けられ、前記セットポジションに位置する状態の保持トレイの前記セット部に前記被記録材をセットするための開口部と、
前記開口部に設けられ、前記保持トレイの前記セット部の占めるセット領域に対応する開口サイズを前記セット領域外の外方領域に対応する開口サイズより大きくする覆い部材と、を備えていることを特徴とする記録装置。
【請求項２】
請求項１に記載の記録装置において、
前記覆い部材は、前記セット部に対向する位置に、前記セット部の形状に沿う側壁を備えていることを特徴とする記録装置。
【請求項３】
請求項１または２に記載の記録装置において、
開いた状態と閉じた状態をとる可動操作パネルを備え、
前記覆い部材は、固定状態で設けられていると共に、前記可動操作パネルが閉じた状態における度当てを兼ねていることを特徴とする記録装置。
【請求項４】
請求項１または２に記載の記録装置において、
前記被記録材と異なる他の被記録材が前記保持トレイを使わずに直接搬送されて記録実行可能に構成され、
前記覆い部材は、覆い状態と退避状態を取り得る進退構造に構成されていると共に、前記他の被記録材が搬送されるときは退避状態をとるように構成されていることを特徴とする記録装置。
【発明の詳細な説明】
【技術分野】
【０００１】
本発明は、保持トレイを使用してＣＤ−Ｒ等の硬質の被記録材に記録を実行するプリンタ、ファクシミリあるいは複写機に代表される、複合機を含む概念の記録装置に関する。
【背景技術】
【０００２】
以下、記録装置の一例であるインクジェットプリンタを例に採って説明する。インクジェットプリンタには、用紙やフィルム等、自立性を有しない軟質の被記録材と、光ディスク（ＣＤ−ＲやＤＶＤ−Ｒ等）で代表される、自立性を有する硬質の被記録材との両方に対して選択的に記録を実行することができる構造のものが在る。そして、前記ＣＤ−Ｒ等の硬質の被記録材に対して記録を実行する場合には、別途付属品として用意されている専用の保持トレイを使用するか、下記の特許文献１に示すようにプリンタ本体内に保持トレイが内蔵されている構造のインクジェットプリンタを使用する。前記保持トレイにはＣＤ−Ｒ等の被記録材をセットするセット凹部が設けられている。
【特許文献１】特開２００５−５９５８４号公報
【発明の開示】
【発明が解決しようとする課題】
【０００３】
しかし、前記保持トレイが内蔵されている構造のインクジェットプリンタの場合には、使用される保持トレイは、全面が同一色で、トレイ幅が硬質の被記録材の直径に比べて大きく、硬質の被記録材をセットするセット凹部が浅底であることから、硬質の被記録材のセット位置が分かり難いという問題点を有していた。
【０００４】
本発明の目的は、ユーザが特に注意を払わなくても、保持トレイのセット部の位置を視覚によって把握し易い記録装置を提供することにある。
【課題を解決するための手段】
【０００５】
前記課題を解決するために本発明の第１の態様に係る記録装置は、被記録材のセット部を有し、該セット部に前記被記録材をセットするためのセットポジションに停止可能に往復移動する保持トレイと、装置本体に設けられ、前記セットポジションに位置する状態の保持トレイの前記セット部に前記被記録材をセットするための開口部と、前記開口部に設けられ、前記保持トレイの前記セット部の占めるセット領域に対応する開口サイズを前記セット領域外の外方領域に対応する開口サイズより大きくする覆い部材と、を備えていることを特徴とするものである。  
ここで、「保持トレイの前記セット部の占めるセット領域に対応する開口サイズを前記セット領域外の外方領域に対応する開口サイズより大きくする」とは、セットポジションに位置する保持トレイをユーザがセット操作側の位置から見たときに、保持トレイの全体の領域の内、セット部周辺の視認性が向上し、セット部外の他の部位の視認性が低下するように前記各開口サイズを設定することを意味する。
【０００６】
本態様によれば、前記開口部に設けられる覆い部材の前記各開口サイズの違いによって、ユーザは保持トレイのセット部の位置を視覚によって容易に把握できるようになり、硬質の被記録材のセット作業が容易になる。
【０００７】
本発明の第２の態様は、前記第１の態様に係る記録装置において、前記覆い部材は、前記セット部に対向する位置に、前記セット部の形状に沿う側壁を備えていることを特徴とするものである。
【０００８】
本態様によれば、前記セット部の形状に沿う側壁の存在によって保持トレイのセット部のみが浮き上がって視認できるようになると共に、該セット部に対して硬質の被記録材をセットする際に硬質の被記録材の周縁部が前記側壁に摺接しながら案内されて所定のセット位置に誘導され、正確にセットされるようになる。
【０００９】
本発明の第３の態様は、前記第１の態様又は第２の態様に係る記録装置において、開いた状態と閉じた状態をとる可動操作パネルを備え、前記覆い部材は、固定状態で設けられていると共に、前記可動操作パネルが閉じた状態における度当てを兼ねていることを特徴とするものである。
【００１０】
本態様によれば、当該覆い部材が前記可動操作パネルが閉じた状態における度当てを兼ねているので、可動操作パネルが閉じた状態では、覆い部材が有する前記開口部も一緒に覆われるので、該開口部から不用意に異物が進入することを防止することができると共に、部品点数を削減することができる。
【００１１】
本発明の第４の態様は、前記第１の態様又は第２の態様に係る記録装置において、前記被記録材と異なる他の被記録材が前記保持トレイを使わずに直接搬送されて記録実行可能に構成され、前記覆い部材は、覆い状態と退避状態を取り得る進退構造に構成されていると共に、前記他の被記録材が搬送されるときは退避状態をとるように構成されていることを特徴とするものである。
【００１２】
普通紙等の軟質の被記録材に記録を行うときは、紙詰まり発生の虞がある。紙詰まりが発生したときは、搬送経路に詰まった用紙を取り除くメンテナンス作業が必要である。前記覆い部材が覆い状態の位置にあり続けると、メンテナンス作業の妨げとなる。
【００１３】
本態様によれば、前記覆い部材は、覆い状態と退避状態を取り得る進退構造に構成されていると共に、普通紙等の軟質の被記録材が搬送されるときは退避状態をとるように構成されているので、上記メンテナンス作業が妨げられることはない。
【発明を実施するための最良の形態】
【００１４】
以下、本発明に係る記録装置について説明する。最初に本発明の記録装置を実施するための最良の形態としてインクジェットプリンタ１を採り上げて、その全体構成の概略を図面に基づいて説明する。
【００１５】
図１は操作パネルを閉じた状態のインクジェットプリンタの外観を示す斜視図、図２は操作パネルを開いた状態のインクジェットプリンタの外観を示す斜視図である。尚、図示のインクジェットプリンタ１は、上部に画像読取り装置（スキャナ）３を搭載した複合機タイプのインクジェットプリンタである。また、用紙やフィルム等の自立性を有しない軟質の被記録材と、ＣＤ−ＲやＤＶＤ−Ｒを含む光ディスク等、それ自体で自立性を有する硬質の被記録材Ｑとの両方に対して記録を実行することができる保持トレイ５内蔵型のインクジェットプリンタである。
【００１６】
このインクジェットプリンタ１は、スキャナ３の下方に外観が比較的フラットな面によって構成されている矩形筐体状のハウジング７によって外装された装置本体であるプリンタ本体９を備えている。ハウジング７は、アッパーハウジング７Ａとロアハウジング７Ｂとに上下に２分割されており、アッパーハウジング７Ａの前面の中央から幾分左寄りの位置に上下回動式の操作パネル１１が設けられている。
【００１７】
また、ロアハウジング７Ｂの前面の中央から幾分左寄りの前記操作パネル１１と対応する位置には、下部に軟質の被記録材を多数枚、積畳状態で収容し得る引出し式の給送用カセット１３が設けられている。そして、その上部に後述する排出用スタッカ１５及び保持トレイ５が不使用状態の時に、これらを隠すための開閉フラップ１７が設けられている。また、前記給送用カセット１３の右方のロアハウジング７Ｂの前面には、画像が記録されたメモリーカード等の外部メディアを挿入するためのメディア挿入口１９が設けられている。
【００１８】
更に、図２に示すように、前記操作パネル１１を上方に回動させて拡開し、前記開閉フラップ１７を下方に回動させて拡開状態に移行すると、下部に記録実行後の軟質の被記録材をスタックするための引出し式の排出用スタッカ１５が左右のスタッカベース２１Ｌ、２１Ｒによって支持された状態で設けられている。また、前記排出用スタッカ１５の上方には、後述する保持トレイ５と、プリンタ本体９に設けられ、前記セットポジションに位置する状態の保持トレイ５の前記セット部２７に前記被記録材Ｑをセットするための開口部２３が設けられている。
【００１９】
この他、図示は省略するが、プリンタ本体９の内部には軟質の被記録材と硬質の被記録材Ｑを記録実行領域に導き、プリンタ本体９の外部に排出するための２系統の搬送経路を備えた搬送系の装置と、記録実行領域に供給された被記録材の被記録面にインクを吐出して所望の記録を実行する記録実行系の装置とが設けられている。
【００２０】
［実施例１］
次に、このようにして構成されるインクジェットプリンタ１に対して適用することができる本発明の実施例１に係る開口部および覆い装置の構造と、その作用、効果について図面に基づいて具体的に説明する。
【００２１】
図３は実施例１に係る覆い装置２５を設けた使用状態を示す正面図である。本実施例の覆い装置２５は、硬質の被記録材Ｑを保持トレイ５のセット部２７にセットするためのセットポジションに位置する状態の保持トレイ５のセット部２７に硬質の被記録材Ｑをセットするための開口部２３と、該開口部２３を覆う覆い部材３３によって構成されている。該覆い部材３３は、前記保持トレイ５の前記セット部２７の占めるセット領域２９に対応する開口部２３の開口サイズを前記セット領域外の外方領域３１に対応する開口サイズより大きくするように構成されている。  
具体的には、開口部２３の開口高さＨを保持トレイ５のセット部２７が形成されたセット領域２９で高くＨ１とし、その外方領域３１Ｌ、３１Ｒで低くＨ２となるように当該開口部２３を被覆する覆い部材３３が設けられている。
【００２２】
開口部２３は、保持トレイ５のセット部２７に対する硬質の被記録材Ｑのセット作業を容易にするために、該開口部２３の開口高さＨはＨ０と、比較的大きめに設定されている。
【００２３】
保持トレイ５は、一例として奥行き寸法の短い矩形平板状の部材であり、該保持トレイ５の第１の面（図示の実施例では上面）における幅方向Ｂの中央、幾分前方寄りの位置に硬質の被記録材Ｑをセットするための浅底のセット部２７が形成されている。該セット部２７は使用される硬質の被記録材Ｑが一例として円板形状を有していることと、前記保持トレイ５が奥行き寸法の短い形状を有していることに関係して先端部が一部切削された平面視円形状に形成されている。
【００２４】
この他、前記セット部２７の中心には、該セット部２７にセットされた硬質の被記録材Ｑを保持するためのセンターチャック３５が設けられている。尚、前記保持トレイ５にセットできる硬質の被記録材Ｑは、直径１２ｃｍあるいは直径８ｃｍ等、使用が想定されるサイズのＣＤ−Ｒ、ＣＤ−ＲＷ、ＤＶＤ−Ｒ、ＤＶＤ−ＲＷあるいは次世代の光ディスクとして注目されているブルーレイディスクや今後開発されるものを含めた種々の光ディスク等が適用可能になっている。
【００２５】
実施例１に係る覆い装置２５Ａは、覆い部材３３Ａが前記開口部２３に対して固定状態で設けられている。具体的には覆い部材３３Ａは前面面部３７と左右のサイド面部３９Ｌ、３９Ｒとを備えており、前記サイド面部３９Ｌ、３９Ｒをプリンタ本体９の適宜のフレームに対してネジ等を利用して締結することによって固定されている。
【００２６】
前面面部３７は、保持トレイ５の前記第１の面と対向する辺の中央部が反対側の辺に向けて矩形状に切り欠かれており、該切り欠かれた部分４０の上辺４１と保持トレイ５の第１の面との間の高さが上述した開口高さＨ１になっている。そして、前記開口高さＨ１は、硬質の被記録材Ｑのセット作業に支障のない高さに設定されている。
【００２７】
一方、前記切り欠かれた部分４０の左右の前面面部３７の下辺４３と保持トレイ５の第１の面との間の高さが上述した開口高さＨ２になっている。そして、前記開口高さＨ２は、保持トレイ５のセット領域２９以外の部分が視認できない高さに設定されている。尚、前記開口高さＨ２は、前記設定条件を満たす範囲で調整することが可能であり、保持トレイ５の移動に支障のない範囲で狭めに設定したり、保持トレイ５の移動中に生じた硬質の被記録材Ｑの位置ズレや詰まり等の処理作業を行えるように広めに設定することが可能である。
【００２８】
また、本実施例では、覆い部材３３Ａにおけるセット領域２９と左右の外方領域３１Ｌ、３１Ｒとの境界部に曲板形状の側壁４５Ｌ、４５Ｒが設けられている。具体的には前面面部３７の切り欠かれた部分４０の左右の辺を奥部側に回り込ませるように延長形成することによって側壁４５Ｌ、４５Ｒは形成されており、該側壁４５Ｌ、４５Ｒの平面形状は、保持トレイ５のセット部２７の形状に沿うように円弧状に形成されている。
【００２９】
そして、このような構成の実施例１に係る覆い装置２５Ａによれば、保持トレイ５の上方空間に開口高さがＨ０と大きく、幅方向Ｂに亘って一様に形成されている開口部２３がカバー部材３３Ａによってセット領域２９と左右の外方領域３１Ｌ、３１Ｒとで開口高さＨに差を設け、上述した開口高さＨ１、Ｈ２に設定されることになる。従って、保持トレイ５のセット部２７の視認性が向上する。
【００３０】
また、本実施例では側壁４５Ｌ、４５Ｒが設けられているから、前記セット部２７に向けて挿入された硬質の被記録材Ｑを案内して所定のセット位置に導く誘導作用も発揮されるから硬質の被記録材Ｑのセット作業が容易になる。
【００３１】
また、操作パネル１１は、上記の通り、開いた状態と閉じた状態をとる可動操作パネルとなっており、前記覆い部材３３Ａも、上記の通り固定状態で設けられていると共に、前記可動操作パネル１１が閉じた状態における度当てを兼ねている。これにより、当該覆い部材３３Ａが前記可動操作パネル１１が閉じた状態における度当てを兼ねているので、可動操作パネル１１が閉じた状態では、覆い部材３３Ａが有する前記開口部２３も一緒に覆われるので、該開口部２３から不用意に異物が進入することを防止することができると共に、部品点数を削減することができる。
【００３２】
［実施例２］
次に、前記インクジェットプリンタ１に対して同様に適用することができる本発明の実施例２に係る覆い装置２５Ｂの構造と、その作用、効果について図面に基づいて具体的に説明する。
【００３３】
図４は実施例２に係る覆い装置を保持トレイの開口部に適用した使用状態を示す斜視図である。実施例２に係る覆い装置２５Ｂは、覆い部材３３Ｂが少なくとも硬質の被記録材Ｑのセット時に被覆姿勢の状態となるように開口部２３に対して可動状態で設けられている。
【００３４】
具体的には、覆い部材３３Ｂのサイド面部３９Ｌ、３９Ｒの上部に回動軸４７Ｌ、４７Ｒが設けられており、これらの回動軸４７Ｌ、４７Ｒをプリンタ本体９のフレーム等に形成されている軸受部４９Ｌ、４９Ｒに嵌合させることによって、覆い部材３３Ｂを図４中、実線で示す被覆姿勢と、図４中、仮想線で示す退避姿勢との間で回動し得るようにすることで実施例２に係る覆い装置２５Ｂは構成されている。
【００３５】
尚、覆い部材３３Ｂの形状、その他の構造については、前記実施例１に係る覆い装置２５Ａの覆い部材３３Ａの構造と同様である。そして、このような構成の実施例２に係る覆い装置２５Ｂによっても、前記実施例１に係る覆い装置２５Ａと同様の作用、効果が奏せられ、更に覆い部材３３を退避姿勢に移行させることによってハウジング７を取り外さなくても紙詰まり等の際のメンテナンス作業が実行できるようになる。
【００３６】
［実施例３］
次に、前記インクジェットプリンタ１に対して同様に適用することができる本発明の実施例３に係る覆い装置２５Ｃの構造と、その作用、効果について図面に基づいて具体的に説明する。
【００３７】
図５は実施例３に係る覆い装置を保持トレイの開口部に適用した使用状態を示す正面図である。実施例３に係る覆い装置２５Ｃは、覆い部材３３Ｃがハウジング７自体によって構成されている。即ち、例えば図５に示すように、アッパーハウジング７Ａの一部を奥部側に凹陥させて、当該凹陥部５１に覆い部材３３Ｃとしての機能を担わせるようにしている。
【００３８】
尚、覆い部材３３Ｃの形状、その他の構造については、前記実施例１に係る覆い装置２５Ａの覆い部材３３Ａの構造と同様である。そして、このような構成の実施例３に係る覆い装置２５Ｃによっても、前記実施例１に係る覆い装置２５Ａと同様の作用、効果が奏せられ、更に部品点数の削減を通じて装置の小型、軽量化と、組立て工数の削減とが図られる。
【００３９】
［他の実施例］
本発明に係る覆い装置２５を備えた記録装置１は、以上述べたような構成を基本とするものであるが、本発明の要旨を逸脱しない範囲内の部分的構成の変更や省略等を行うことも勿論可能である。
【００４０】
例えば、本発明の覆い装置２５は、同様の開口部２３を備える種々のタイプ（例えばハウジング７の前面の一部に回動式の排出用スタッカ１５が設けられているようなタイプ等）のインクジェットプリンタ１やインクジェットプリンタ１以外の記録装置等に適用可能である。また、覆い部材３３は側壁４５を有しない平板状の部材によって構成することが可能であり、覆い部材３３を前記実施例２のように可動状態で設ける場合には操作パネル１１や排出用スタッカ１５等、他の部材と連動させて覆い状態と退避状態の切り替えを行えるようにすることも可能である。また、覆い部材３３の可動形式は回動式に限らず、スライド式等、他の可動形式でもよく、覆い部材３３の可動の方向も上下、左右、前後等、あらゆる方向に可動させることが可能である。
【図面の簡単な説明】
【００４１】
【図１】操作パネルを閉じた状態のインクジェットプリンタを示す斜視図。
【図２】操作パネルを開いた状態のインクジェットプリンタを示す斜視図。
【図３】実施例１に係る開口部のカバー装置の使用状態を示す正面図。
【図４】実施例２に係る開口部のカバー装置の使用状態を示す斜視図。
【図５】実施例３に係る開口部のカバー装置の使用状態を示す正面図。
【符号の説明】
【００４２】
１  インクジェットプリンタ（記録装置）、２  画像読取り装置（スキャナ）、５  保持トレイ、７  ハウジング、７Ａ  アッパーハウジング、７Ｂ  ロアハウジング、９  プリンタ本体（装置本体）、１１  操作パネル、１３  給送用カセット、１５  排出用スタッカ、１７  開閉フラップ、１９  メディア挿入口、２１  スタッカベース、２３  開口部、２５  覆い装置、２７  セット部、２９  セット領域、３１  外方領域、３３  覆い部材、３５  センターチャック、３７  前面面部、３９  サイド面部、４０  切り欠かれた部分、４１  上辺、４３  下辺、４５  側壁、４７  回動軸、４９  軸受部、５１  凹陥部、Ｑ  硬質の被記録材、Ｈ  開口高さ、Ｂ  幅方向
【図１】
2010046972.tif 000003
【図２】
2010046972.tif 000004
【図３】
2010046972.tif 000005
【図４】
2010046972.tif 000006
【図５】
2010046972.tif 000007